(57)【要約】【課題】給湯用熱交換器および暖房用熱交換器のいずれかだけを備える室外機と、給湯用熱交換器および暖房用熱交換器の両方を備える室外機において、水熱交換器の周囲を覆う断熱材の共通化が難しい。【解決手段】本発明の室外機は、冷媒と給湯用温水との間で熱交換する給湯用熱交換器１６Ａと、冷媒と暖房用温水との間で熱交換する暖房用熱交換器１６Ｂとを備える。給湯用熱交換器１６Ａおよび暖房用熱交換器１６Ｂは、積層されるとともに断熱材６０によって周囲を覆われている。断熱材６０は、給湯用熱交換器１６Ａと暖房用熱交換器１６Ｂとの間に配置される中間部材６１と、中間部材６１に対して給湯用熱交換器１６Ａ側に配置される下部材６２と、中間部材６１に対して暖房用熱交換器１６Ｂ側に配置される上部材６３とを有している。中間部材６１と下部材６２とは、給湯用熱交換器１６Ａの周囲を覆う状態で嵌合するとともに、中間部材６１と上部材６３とは、暖房用熱交換器１６Ｂの周囲を覆う状態で嵌合する。【選択図】図８
2016085002.tif 000002
【特許請求の範囲】
【請求項１】
冷媒と外気との間で熱交換する空気熱交換器と、
冷媒と給湯用温水との間で熱交換する給湯用熱交換器と、
冷媒と暖房用温水との間で熱交換する暖房用熱交換器とを備え、
前記給湯用熱交換器および前記暖房用熱交換器は、積層されるとともに断熱材によって周囲を覆われており、
前記断熱材は、
前記給湯用熱交換器と前記暖房用熱交換器との間に配置される第１部材と、
前記第１部材に対して前記給湯用熱交換器側に配置される第２部材と、
前記第１部材に対して前記暖房用熱交換器側に配置される第３部材とを有しており、
前記第１部材と前記第２部材とは、前記給湯用熱交換器の周囲を覆う状態で嵌合するとともに、
前記第１部材と前記第３部材とは、前記暖房用熱交換器の周囲を覆う状態で嵌合することを特徴とする室外機。
【請求項２】
前記第２部材と前記第３部材とは、前記給湯用熱交換器または前記暖房用熱交換器の周囲を覆う状態で嵌合可能に構成されることを特徴とする請求項１に記載の室外機。
【請求項３】
前記給湯用熱交換器および前記暖房用熱交換器は、それぞれ、冷媒連絡配管と水連絡配管とに接続されており、
前記第１部材と前記第２部材との嵌合部には、前記冷媒連絡配管および前記水連絡配管が通過する第１開口が形成されるとともに、
前記第１部材と前記第３部材との嵌合部には、前記冷媒連絡配管および前記水連絡配管が通過する第２開口が形成され、
前記第１開口と前記第２開口とは、積層方向について同一の位置に配置されることを特徴とする請求項１または２に記載の室外機。
【発明の詳細な説明】
【技術分野】
【０００１】
本発明は、給湯用熱交換器および暖房用熱交換器を備える室外機に関する。
【背景技術】
【０００２】
従来の室外機（ヒートポンプ式給湯暖房機）として、冷媒が循環される冷凍サイクルと、温水を貯留又は給湯するための給湯回路とを備えるものがある。冷凍サイクルは、冷媒と水との間で熱交換を行う水熱交換器と、冷媒と室外空気との間で熱交換を行う室外空気熱交換器とを備えている。このヒートポンプ式給湯暖房機では、水熱交換器において冷媒との熱交換によって加熱された温水を貯湯タンクに貯留することによって給湯運転を行う。
【０００３】
また、従来の室外機（ヒートポンプ式給湯暖房機）として、冷媒が循環される冷凍サイクルと、床暖房装置に温水を循環させるための床暖房回路と、温水を貯留又は給湯するための給湯回路とを備えるものがある（特許文献１）。冷凍サイクルは、冷媒と水との間で熱交換を行う水熱交換器と、冷媒と室外空気との間で熱交換を行う室外空気熱交換器とを備えている。このヒートポンプ式給湯暖房機では、水熱交換器において冷媒との熱交換によって加熱された温水を床暖房パネルに循環させることで床暖房運転を行うとともに、水熱交換器において冷媒との熱交換によって加熱された温水を貯湯タンクに貯留することによって給湯運転を行う。
【先行技術文献】
【特許文献】
【０００４】
【特許文献１】特開２０１０−１４３５２
【発明の概要】
【発明が解決しようとする課題】
【０００５】
特許文献１の室外機では、水熱交換器が、冷媒配管と、床暖房用配管と、給湯用配管とが、接触した状態でろう付されることによって一体に構成されている。したがって、特許文献１の給湯用温水および暖房用温水を加熱する室外機の水熱交換器の構成と、給湯用の水だけを加熱する室外機の水熱交換器の構成が大きく異なることから、水熱交換器の周囲を覆う断熱材の共通化が難しく、それぞれの水熱交換器の断熱材として、専用品が必要であるという問題がある。
【０００６】
そこで、本発明の目的は、給湯用温水および暖房用温水を加熱する室外機と、給湯用の水だけを加熱する室外機において、水熱交換器の周囲を覆う断熱材の共通化を可能とする室外機を提供することである。
【課題を解決するための手段】
【０００７】
第１の発明にかかる室外機は、冷媒と外気との間で熱交換する空気熱交換器と、冷媒と給湯用温水との間で熱交換する給湯用熱交換器と、冷媒と暖房用温水との間で熱交換する暖房用熱交換器とを備え、前記給湯用熱交換器および前記暖房用熱交換器は、積層されるとともに断熱材によって周囲を覆われており、前記断熱材は、前記給湯用熱交換器と前記暖房用熱交換器との間に配置される第１部材と、前記第１部材に対して前記給湯用熱交換器側に配置される第２部材と、前記第１部材に対して前記暖房用熱交換器側に配置される第３部材とを有しており、前記第１部材と前記第２部材とは、前記給湯用熱交換器の周囲を覆う状態で嵌合するとともに、前記第１部材と前記第３部材とは、前記暖房用熱交換器の周囲を覆う状態で嵌合することを特徴とする。
【０００８】
この室外機では、給湯用熱交換器および暖房用熱交換器のいずれかだけを備える室外機と、給湯用熱交換器および暖房用熱交換器の両方を備える室外機において、水熱交換器の周囲を覆う断熱材の一部を共通化できる。詳しくは、例えば、給湯用熱交換器だけを備える室外機において、第１部材と第２部材によって給湯用熱交換器の周囲を覆うとともに、給湯用熱交換器および暖房用熱交換器の両方を備える室外機において、第１−第３部材によって給湯用熱交換器および暖房用熱交換器の周囲を覆う場合、水熱交換器の周囲を覆う断熱材として、第１部材と第２部材を共通化できる。
【０００９】
第２の発明にかかる室外機は、第１の発明にかかる室外機において、前記第２部材と前記第３部材とは、前記給湯用熱交換器または前記暖房用熱交換器の周囲を覆う状態で嵌合可能に構成されることを特徴とする。
【００１０】
この室外機では、第２部材および第３部材の厚さが第１部材の厚さより大きい場合において、給湯用熱交換器および暖房用熱交換器のいずれかだけを備える室外機と、給湯用熱交換器および暖房用熱交換器の両方を備える室外機において、水熱交換器の周囲を覆う断熱材として、第２部材および第３部材を共通化できる。したがって、第２部材および第３部材の厚さが厚いので、例えば、第１部材と第２部材を共通化する場合より、水熱交換器の断熱を効率よく行える。
【００１１】
第３の発明にかかる室外機は、第１および第２の発明にかかる室外機において、前記給湯用熱交換器および前記暖房用熱交換器は、それぞれ、冷媒配管と水配管とに接続されており、前記第１部材と前記第２部材との嵌合部には、前記冷媒配管および前記水配管が通過する第１開口が形成されるとともに、前記第１部材と前記第３部材との嵌合部には、前記冷媒配管および前記水配管が通過する第２開口が形成され、前記第１開口と前記第２開口とは、積層方向について同一の位置に配置されることを特徴とする。
【００１２】
この室外機では、第１部材と第２部材との嵌合部の第１開口と、第１部材と第３部材との嵌合部の第２開口とが、積層方向について同一の位置に配置されるので、水熱交換器の周囲を覆う断熱材の共通化が容易である。
【発明の効果】
【００１３】
以上の説明に述べたように、本発明によれば、以下の効果が得られる。
【００１４】
第１の発明では、給湯用熱交換器および暖房用熱交換器のいずれかだけを備える室外機と、給湯用熱交換器および暖房用熱交換器の両方を備える室外機において、水熱交換器の周囲を覆う断熱材の一部を共通化できる。詳しくは、例えば、給湯用熱交換器だけを備える室外機において、第１部材と第２部材によって給湯用熱交換器の周囲を覆うとともに、給湯用熱交換器および暖房用熱交換器の両方を備える室外機において、第１−第３部材によって給湯用熱交換器および暖房用熱交換器の周囲を覆う場合、水熱交換器の周囲を覆う断熱材として、第１部材と第２部材を共通化できる。
【００１５】
第２の発明では、第２部材および第３部材の厚さが第１部材の厚さより大きい場合において、給湯用熱交換器および暖房用熱交換器のいずれかだけを備える室外機と、給湯用熱交換器および暖房用熱交換器の両方を備える室外機において、水熱交換器の周囲を覆う断熱材として、第２部材および第３部材を共通化できる。したがって、第２部材および第３部材の厚さが厚いので、例えば、第１部材と第２部材を共通化する場合より、水熱交換器の断熱を効率よく行える。
【００１６】
第３の発明では、第１部材と第２部材との嵌合部の第１開口と、第１部材と第３部材との嵌合部の第２開口とが、積層方向について同一の位置に配置されるので、水熱交換器の周囲を覆う断熱材の共通化が容易である。
【図面の簡単な説明】
【００１７】
【図１】本発明の第１実施形態の温調システムを示す構成図である。
【図２】図１の温調システムに含まれる室外機の正面図である。
【図３】図３（ａ）は、室外機を正面から見たときのヒートポンプ部および水ユニットの内部構成を説明する図であり、図３（ｂ）は、室外機を上方から見たときの水ユニットの内部構成を説明する図であり、図３（ｃ）は、室外機を右側面から見たときの給湯用水配管接続部および暖房用水配管接続部の配置を説明する図である。
【図４】給湯用熱交換器および暖房用熱交換器が断熱材によって覆われる状態の斜視図である。
【図５】図５（ａ）および図５（ｂ）は、給湯用熱交換器および暖房用熱交換器の斜視図および側面図である。
【図６】図６（ａ）は、暖房用熱交換器の斜視図であり、図６（ｂ）は、給湯用熱交換器の斜視図である。
【図７】図７（ａ）および図７（ｂ）は、本発明および比較例についての給湯用熱交換器と暖房用熱交換器との温度差を説明する図である。
【図８】図８（ａ）および図８（ｂ）は、給湯用熱交換器および暖房用熱交換器の周囲に配置された断熱材の側面図、断面図である。
【発明を実施するための形態】
【００１８】
（第１の実施形態）
以下、図面を参照しつつ、本発明の第１実施形態について説明する。
【００１９】
図１は、この発明の第１実施形態の温調システムの構成図を示している。図１に示すように、この温調システムは、ヒートポンプ室外機１（以下、室外機１という）と、室外機１に接続された利用側装置４とを備える。
【００２０】
室外機１は、図１および図２に示すように、ヒートポンプ部２と、ヒートポンプ部２の上方に配置された水ユニット部３とを有している。ヒートポンプ部２には、圧縮機１０と、室外熱交換器１１と、２つの膨張弁１２Ａ，１２Ｂと、室外ファン１３とが収容されている。水ユニット部３には、給湯用熱交換器（給湯用水熱交換器）１６Ａと、暖房用熱交換器（暖房用水熱交換器）１６Ｂと、ポンプ１７とが収容されている。室外機１の内部において、冷媒回路（ヒートポンプ）が構成されており、この冷媒回路は、圧縮機１０と、室外熱交換器１１と、膨張弁１２Ａ，１２Ｂと、給湯用熱交換器１６Ａと、暖房用熱交換器１６Ｂとが接続されて構成されている。冷媒回路は、圧縮機１０の吐出側に配置された分岐部１８において分岐し、室外熱交換器１１の他端側に配置された合流部１９において合流する２つの分岐路を有している。この２つの分岐路は、給湯用熱交換器１６Ａおよび膨張弁１２Ａが配置された分岐路と、暖房用熱交換器１６Ｂおよび膨張弁１２Ｂが配置された分岐路である。ポンプ１７は、給湯タンク５から流出した給湯用温水を給湯用熱交換器１６Ａに供給し、給湯タンク５に供給される給湯用温水を循環させるものである。
【００２１】
圧縮機１０の吐出側には、給湯用熱交換器１６Ａの冷媒流入口と、暖房用熱交換器１６Ｂの冷媒流入口とがそれぞれ接続されている。圧縮機１０の吸入側には、室外熱交換器１１の一端が接続され、室外熱交換器１１の他端には、膨張弁１２Ａ，１２Ｂの一端がそれぞれ接続されている。膨張弁１２Ａの他端と給湯用熱交換器１６Ｂの冷媒流出口とが接続されるとともに、膨張弁１２Ｂの他端と暖房用熱交換器の冷媒流出口とが接続されている。したがって、給湯用熱交換器１６Ａの冷媒流入口には、圧縮機１０の吐出側の分岐部１８が接続され、給湯用熱交換器１６Ａの冷媒流出口には、膨張弁１２Ａが接続されている。また、暖房用熱交換器１６Ｂの冷媒流入口には、圧縮機１０の吐出側の分岐部１８が接続され、給湯用熱交換器１６Ｂの冷媒流出口には、膨張弁１２Ｂが接続されている。
【００２２】
水ユニット部３は、給湯用水配管接続部２０と、暖房用水配管接続部２１とを有している。給湯用水配管接続部２０は、往き接続部２０ａと、戻り接続部２０ｂとを有しており、暖房用水配管接続部２１は、往き接続部２１ａと、戻り接続部２１ｂとを有している。水ユニット部３の内部において、給湯用水配管接続部２０の往き接続部２０ａは、給湯用熱交換器１６Ａの水流入口に接続され、給湯用水配管接続部２０の戻り接続部２０ｂは、給湯用熱交換器１６Ａの水流出口に接続されている。また、水ユニット部３の内部において、給湯用水配管接続部２０の往き接続部２１ａは、給湯用熱交換器１６Ａの水流入口に接続され、給湯用水配管接続部２０の戻り接続部２１ｂは、給湯用熱交換器１６Ａの水流出口に接続されている。
【００２３】
したがって、給湯用熱交換器１６Ａでは、圧縮機１０の吐出側の分岐部１８から流入した冷媒と、給湯用水配管接続部２０の戻り接続部２０ｂから流入した給湯用温水との間で熱交換されることによって、給湯用温水が加熱されて、その加熱された給湯用温水が、給湯用水配管接続部２０の往き接続部２０ａに向かって流出する。また、暖房用熱交換器１６Ｂでは、圧縮機１０の吐出側の分岐部１８から流入した冷媒と、暖房用水配管接続部２１の戻り接続部２１ｂから流入した暖房用温水との間で熱交換されることによって、暖房用温水が加熱されて、その加熱された暖房用温水が、暖房用水配管接続部２１の往き接続部２１ａに向かって流出する。本実施形態の温調システムでは、室外機１は、給湯用温水および暖房用温水の少なくとも一方を加熱可能である。
【００２４】
本実施形態の温調システムでは、利用側装置４は、給湯タンク５と、ガスボイラ６と、床暖房パネル７と、ポンプ８とを有している。ガスボイラ６は、加熱器６ａを有しており、床暖房パネル７と給湯端末９に接続されている。したがって、ガスボイラ６は、給湯タンク５から供給された給湯用温水を給湯端末９に供給される前に加熱したり、室外機１から供給された暖房用温水を床暖房パネル７に供給される前に加熱できる。ポンプ８は、床暖房パネル７から流出した暖房用温水を暖房用熱交換器１６Ｂに供給し、床暖房パネル７に供給される暖房用温水を循環させるものである。
【００２５】
図３（ａ）は、室外機１を正面から見たときのヒートポンプ部２および水ユニット部３の内部構成を説明する図であり、図３（ｂ）は、室外機１を上方から見たときの水ユニット部３の内部構成を説明する図であり、図３（ｃ）は、室外機１を右側面から見たときの給湯用水配管接続部２０および暖房用水配管接続部２１の配置を説明する図である。後述するように、給湯用熱交換器１６Ａおよび暖房用熱交換器１６Ｂは、断熱材料５０によって覆われているが、図３では、断熱材料５０の図示を省略して、給湯用熱交換器１６Ａおよび暖房用熱交換器１６Ｂを図示している。また、室外機１の側面には、給湯用水配管接続部２０および暖房用水配管接続部２１を覆うカバー２ａが配置されているが、図３（ｃ）では図示を省略している。
【００２６】
図４は、給湯用熱交換器１６Ａおよび暖房用熱交換器１６Ｂが断熱材６７によって覆われる状態の斜視図であり、図５（ａ）および図５（ｂ）は、給湯用熱交換器１６Ａおよび暖房用熱交換器１６Ｂの斜視図および側面図であって、図４において断熱材６０の図示を省略した状態である。室外機１の水ユニット部３の内部において、給湯用熱交換器１６Ａおよび暖房用熱交換器１６Ｂは、図４および図５に示すように、上下方向に積層された状態で断熱材６０によって周囲を覆われている。
【００２７】
図６（ａ）は、暖房用熱交換器１６Ｂの斜視図であり、図６（ｂ）は、給湯用熱交換器１６Ａの斜視図である。暖房用熱交換器１６Ｂは、図６（ａ）に示すように、上下方向に２段に積層されるように巻回される暖房用水配管を有しており、給湯用熱交換器１６Ａは、図６（ｂ）に示すように、上下方向に２段に積層されるように巻回される給湯用水配管を有している。この給湯用水配管および暖房用水配管は、平面視において、それぞれの段において略渦巻き状に巻回されている。
【００２８】
給湯用熱交換器１６Ａの水流入口には、ポンプ１７（給湯用水配管接続部２０の戻り接続部２０ｂ）から延在する給湯用戻り連絡配管３１ａが接続され、給湯用熱交換器１６Ａの水流出口には、給湯用水配管接続部２０の往き接続部２０ａから延在する給湯用往き連絡配管３１ｂが接続されている。また、暖房用熱交換器１６Ｂの水流入口には、暖房用水配管接続部２１の戻り接続部２１ｂから延在する暖房用戻り連絡配管３２ａが接続され、暖房用熱交換器１６Ｂの水流出口には、暖房用水配管接続部２１の往き接続部２１ａから延在する暖房用往き連絡配管３２ｂが接続されている。
【００２９】
給湯用熱交換器１６Ａにおいて、給湯用水配管３１の外周には、給湯用冷媒配管３３が螺旋状に巻回され、暖房用熱交換器１６Ｂにおいて、暖房用水配管３２の外周には、暖房用冷媒配管３４が螺旋状に巻回されている。この給湯用冷媒配管３３および暖房用冷媒配管３４の内径は、それぞれ、給湯用水配管３１および暖房用水配管３２の内径より小さい。給湯用熱交換器１６Ａの冷媒流入口には、圧縮機１０の吐出側の分岐部１８から延在する給湯用戻り連絡配管３３ａが接続され、給湯用熱交換器１６Ａの冷媒流出口には、膨張弁１２Ａから延在する給湯用往き連絡配管３３ｂが接続されている。また、暖房用熱交換器１６Ｂの冷媒流入口には、圧縮機１０の吐出側の分岐部１８から延在する暖房用戻り連絡配管３４ａが接続され、暖房用熱交換器１６Ｂの冷媒流出口には、膨張弁１２Ｂから延在する暖房用往き連絡配管３４ｂが接続されている。
【００３０】
本実施形態において、給湯用熱交換器１６Ａは、給湯用水配管３１の外周に給湯用冷媒配管３３が螺旋状に巻回された部分とし、暖房用熱交換器１６Ｂは、暖房用水配管３２の外周に暖房用冷媒配管３４が螺旋状に巻回された部分とする。
【００３１】
給湯用熱交換器１６Ａの給湯用水配管３１は、図６（ｂ）に示すように、上下方向に２段に積層されるように巻回されたものであって、給湯用戻り連絡配管３１ａから、下側に配置された段にある配管に給湯用温水が流入するとともに、上側に配置された段にある配管から、給湯用往き連絡配管３１ｂに給湯用温水が流出するように構成されている。暖房用熱交換器１６Ｂの暖房用水配管３２は、図６（ａ）に示すように、上下方向に２段に積層されるように巻回されたものであって、暖房用戻り連絡配管３２ａから、下側に配置された段にある配管に暖房用温水が流入するとともに、上側に配置された段にある配管から、暖房用往き連絡配管３１ｂに暖房用温水が流出するように構成されている。
【００３２】
このように構成された給湯用熱交換器１６Ａの給湯用水配管３１と暖房用熱交換器１６Ｂの暖房用水配管３２とは、水ユニット３の内部において、積層されている。詳しくは、給湯用熱交換器１６Ａは、２段に積層されるように巻回され、最も上側に配置された段にある配管（外側配管）から給湯用温水が流出するように構成されており、暖房用熱交換器１６Ｂは、給湯用熱交換器１６Ａの上方に積層されている（給湯用水配管３１において最も上側に配置された段にある配管（外側配管）に近接するように、給湯用熱交換器１６Ａに積層されている。）
【００３３】
次に、給湯用熱交換器１６Ａと暖房用熱交換器１６Ｂとの温度差について、図７に基づいて説明する。
【００３４】
図７（ａ）は、本発明の構成であって、暖房用熱交換器１６Ｂが給湯用熱交換器１６Ａの上方に積層されているものを示し、図７（ｂ）は、比較例の構成であって、給湯用熱交換器１６Ａが暖房用熱交換器１６Ｂの上方に積層されているものを示している。このように、本発明と比較例とでは、暖房用熱交換器１６Ｂとが給湯用熱交換器１６Ａとの上下が反対になっている。
【００３５】
ここでは、給湯用熱交換器１６Ａの給湯用水配管３１に、給湯用戻り連絡配管３１ａから、下側に配置された段にある配管に、Ｔ１（℃）の給湯用温水が流入するとともに、上側に配置された段にある配管から、給湯用往き連絡配管３１ｂに、Ｔ１’（℃）の給湯用温水が流出し、暖房用熱交換器１６Ｂの暖房用水配管３２に、暖房用戻り連絡配管３２ａから、下側に配置された段にある配管に、Ｔ２（℃）の暖房用温水が流入するとともに、上側に配置された段にある配管から、暖房用往き連絡配管３１ｂに、Ｔ２’（℃）の暖房用温水が流出する場合について考える。
【００３６】
本実施形態の温調システムでは、給湯用熱交換器１６Ａの給湯用水配管３１に流入する給湯用温水の温度Ｔ１（℃）は、例えば外気温度に基づいて変化する（例えば、Ｔ１＝外気温度）と考えられ、例えば給湯用熱交換器１６Ａの給湯用水配管３１から流出する給湯用温水の温度Ｔ１’（℃）は、給湯タンク５に貯留される温水の温度（給湯端末からの出湯温度）に基づいて変化すると考えられる。また、暖房用熱交換器１６Ｂの暖房用水配管３２に流入する暖房用温水の温度Ｔ２（℃）は、例えば暖房が行われる部屋の室内温度（床暖房パネル７に供給される温水の温度）に基づいて変化する（例えば、Ｔ２＝室内温度＋α）と考えられ、暖房用熱交換器１６Ｂの暖房用水配管３２から流出する暖房用温水の温度Ｔ２’（℃）は、暖房が行われる部屋の室内温度に基づいて変化すると考えられる。
【００３７】
したがって、本実施形態の温調システムにおいて、外気温度が低く、部屋の暖房が行われる状態であることを考慮すると、給湯用熱交換器１６Ａに流入する給湯用温水の温度Ｔ１（℃）が、暖房用熱交換器１６Ｂに流入する暖房用温水の温度Ｔ２（℃）より低いと考えられ、また、Ｔ１（℃）が、その他のＴ１’（℃）、Ｔ２（℃）、Ｔ２’（℃）より低い温度であると考えられる。図６では、Ｔ１（℃）、Ｔ１’（℃）、Ｔ２（℃）、Ｔ２’（℃）の一例として、それぞれ、９℃、４７℃、３０℃、４０℃の場合について図示している。
【００３８】
本発明のように、暖房用熱交換器１６Ｂが給湯用熱交換器１６Ａの上方に積層されている場合には、図７（ａ）に示すように、給湯用熱交換器１６Ａと暖房用熱交換器１６Ｂとの間の温度差が１７℃であるのに対し、比較例のように、給湯用熱交換器１６Ａが暖房用熱交換器１６Ｂの上方に積層されている場合には、図７（ａ）に示すように、給湯用熱交換器１６Ａと暖房用熱交換器１６Ｂとの間の温度差が３１℃である。したがって、本発明では、比較例より、給湯用熱交換器１６Ａと暖房用熱交換器１６Ｂとの間の温度差が小さいことが分かる。
【００３９】
次に、給湯用熱交換器１６Ａおよび暖房用熱交換器１６Ｂの周囲に配置された断熱材６０の構成について、図８に基づいて説明する。
【００４０】
給湯用熱交換器１６Ａおよび暖房用熱交換器１６Ｂは、上下方向に積層された状態で断熱材６０によって周囲を覆われている。断熱材６０は、図８（ａ）に示すように、給湯用熱交換器１６Ａと暖房用熱交換器１６Ｂとの間に配置される中間部材６１と、中間部材６１に対して給湯用熱交換器１６Ａ側に配置される下部材６２と、中間部材６１に対して暖房用熱交換器１６Ｂ側に配置される上部材６３とを有している。したがって、給湯用熱交換器１６Ａは、中間部材６１と下部材６２によって周囲を覆われており、暖房用熱交換器１６Ｂは、中間部材６１と上部材６３によって周囲を覆われている。下部材６２および上部材６３の上下方向の厚さは、中間部材６１の上下方向の厚さより厚く構成される。
【００４１】
給湯用熱交換器１６Ａには、水連絡配管（給湯用戻り連絡配管３１ａおよび給湯用往き連絡配管３１ｂ）と、冷媒連絡配管（給湯用戻り連絡配管３３ａおよび給湯用往き連絡配管３３ｂ）とが接続されており、暖房用熱交換器１６Ｂには、水連絡配管（暖房用戻り連絡配管３２ａおよび暖房用往き連絡配管３２ｂ）と、冷媒連絡配管（暖房用戻り連絡配管３４ａおよび暖房用往き連絡配管３４ｂ）とが接続されている。
【００４２】
図４に示すように、中間部材６１と下部材６２との嵌合部には、水連絡配管および冷媒連絡配管が通過する開口６５が形成されるとともに、中間部材６１と上部材６３との嵌合部には、水連絡配管および冷媒連絡配管が通過する開口６６が形成される。この開口６５と開口６６とは、積層方向について（平面視において）同一の位置に配置されている。
【００４３】
図８（ｂ）は、給湯用熱交換器１６Ａおよび暖房用熱交換器１６Ｂの周囲を覆った状態の断熱材６０の断面図である。下部材６２は、給湯用熱交換器１６Ａが配置される凹部６２ａを有しており、凹部６２ａの周囲（開口６５の部分を除く）には、壁部６２ｂが設けられている。この壁部６２ｂの上端の内周側部分には、突出部６２ｃが配置されている。また、中間部材６１は、下部材６２の凹部６２ａを塞ぐように配置される板状の部材である。この中間部材６１の下面の外周部（開口６５の部分を除く）には、下部材６２の壁部６２ｂの上端に対向する突出部６１ｃが設けられている。この突出部６１ｃの内周面と、下部材６２の突出部６２ｃの外周面とは、略同一の形状および大きさに構成されている。したがって、中間部材６１と下部材６２とは、給湯用熱交換器１６Ａの周囲を覆う状態で嵌合する。
【００４４】
上部材６３は、給湯用熱交換器１６Ｂが配置される凹部６３ａを有しており、凹部６３ａの周囲（開口６６の部分を除く）には、壁部６３ｂが設けられている。この壁部６３ｂの下端の外周側部分には、突出部６３ｃが配置されている。また、中間部材６１は、上部材６３の凹部６３ａを塞ぐように配置される板状の部材である。この中間部材６１の上面の外周部（開口６６の部分を除く）には、上部材６３の壁部６３ｂの下端に対向する突出部６１ｄが設けられている。この突出部６１ｄの外周面と、上部材６３の突出部６３ｃの内周面とは、略同一の形状および大きさに構成されている。したがって、中間部材６１と上部材６３とは、暖房用熱交換器１６Ｂの周囲を覆う状態で嵌合する。
【００４５】
本実施形態では、下部材６２の突出部６２ｃの外周面と、上部材６３の突出部６３ｃの内周面とは、略同一の形状および大きさに構成されている。したがって、中間部材６１と下部材６２とが嵌合し、中間部材６１と上部材６３とが嵌合するとともに、下部材６２と上部材６３とが嵌合するように構成されている。このように、下部材６２と上部材６３とが嵌合するように構成されているので、例えば、給湯用熱交換器１６Ａおよび暖房用熱交換器１６Ｂのいずれかだけを使用する場合において、下部材６２と上部材６３を、その熱交換器の周囲を覆う状態で嵌合させることができる。
【００４６】
＜本実施形態の室外機の特徴＞
本実施形態の室外機１では、給湯用熱交換器１６Ａおよび暖房用熱交換器１６Ｂのいずれかだけを備える室外機と、給湯用熱交換器１６Ａおよび暖房用熱交換器１６Ｂの両方を備える室外機において、水熱交換器の周囲を覆う断熱材の一部を共通化できる。詳しくは、例えば、給湯用熱交換器１６Ａだけを備える室外機において、中間部材６１と下部材６２とによって給湯用熱交換器１６Ａの周囲を覆うとともに、給湯用熱交換器１６Ａおよび暖房用熱交換器１６Ｂの両方を備える室外機において、中間部材６１と下部材６２と上部材６３とによって給湯用熱交換器１６Ａおよび暖房用熱交換器１６Ｂの周囲を覆う場合、水熱交換器の周囲を覆う断熱材６０として、中間部材６１と下部材６２を共通化できる。
【００４７】
本実施形態の室外機１では、下部材６２および上部材６３の厚さが中間部材６１の厚さより大きいが、この場合において、給湯用熱交換器１６Ａおよび暖房用熱交換器１６Ｂのいずれかだけを備える室外機１と、給湯用熱交換器１６Ａおよび暖房用熱交換器１６Ｂの両方を備える室外機において、水熱交換器の周囲を覆う断熱材として、下部材６２および上部材６３を共通化できる。したがって、下部材６２および上部材６３の厚さが厚いので、例えば、中間部材６１と下部材６２を共通化する場合より、水熱交換器の断熱を効率よく行える。
【００４８】
本実施形態の室外機１では、中間部材６１と下部材６２との嵌合部の開口６５と、中間部材６１と上部材６３との嵌合部の開口６６とが、積層方向について同一の位置に配置されるので、水熱交換器の周囲を覆う断熱材の共通化が容易である。
【００４９】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５０】
上述の実施形態では、暖房用熱交換器１６Ｂが給湯用熱交換器１６Ａの上方に積層されるとともに、暖房用熱交換器１６Ｂは、暖房用温水が最も下方の段から流入して、最も上方の段から流出するとともに、給湯用熱交換器１６Ａは、給湯用温水が最も下方の段から流入して、最も上方の段から流出する場合について説明したが、給湯用熱交換器１６Ａおよび暖房用熱交換器１６Ｂの配置や、それぞれの熱交換器における温水の流れ方向が異なるものであっても、本発明と同様の効果が得られる。
【００５１】
したがって、給湯用熱交換器１６Ａおよび暖房用熱交換器１６Ｂが、上下方向以外（例えば水平方向）に積層させたものであってよい。また、暖房用熱交換器１６Ｂが給湯用熱交換器１６Ａの上方に積層されるとともに、暖房用熱交換器１６Ｂは、暖房用温水が最も上方の段から流入して、最も下方の段から流出する（本実施形態において、暖房用温水の流れ方向が反対方向）とともに、給湯用熱交換器１６Ａは、給湯用温水が最も下方の段から流入して、最も上方の段から流出するものであってよい。また、給湯用熱交換器１６Ａが暖房用熱交換器１６Ｂの上方に積層されるとともに、給湯用熱交換器１６Ａは、給湯用温水が最も下方の段から流入して、最も上方の段から流出するものであってよい（暖房用熱交換器１６Ｂにおける暖房用温水の流れ方向は、下方から上方でも、上方から下方でもよい）。また、給湯用熱交換器１６Ａの給湯用水配管３１が複数段であって、暖房用熱交換器１６Ｂの暖房用水配管３２が複数段でなくてよい。また、暖房用熱交換器１６Ｂが、給湯用熱交換器１６Ａにおいて最も下側に配置された段にある配管に近接するように（最も上側に配置された段にある配管（外側配管）から離れるように）、給湯用熱交換器１６Ａに積層されてよい。
【００５２】
上述の実施形態では、中間部材６１と上部材６３とが嵌合するとともに、下部材６２と上部材６３とが嵌合するように構成される場合について説明したが、下部材６２と上部材６３とが嵌合するように構成されてないものでもよい。
【００５３】
上述の実施形態では、暖房用熱交換器１６Ｂにおいて加熱された暖房用温水が床暖房パネル７に供給される場合について説明したが、暖房用熱交換器１６Ｂにおいて加熱された暖房用温水が床暖房パネル以外の暖房装置に供給されてよい。
【産業上の利用可能性】
【００５４】
本発明を利用すれば、給湯用熱交換器および暖房用熱交換器のいずれかだけを備える室外機と、給湯用熱交換器および暖房用熱交換器の両方を備える室外機において、水熱交換器の周囲を覆う断熱材の一部を共通化できる。
【符号の説明】
【００５５】
１  室外機
２  ヒートポンプ部
３  水ユニット部
１０  圧縮機
１１  空気熱交換器
１６Ａ  給湯用熱交換器
１６Ｂ  暖房用熱交換器
３１  給湯用水配管
３１ａ  給湯用戻り連絡配管（水連絡配管）
３１ｂ  給湯用往き連絡配管（水連絡配管）
３２  暖房用水配管
３２ａ  給湯用戻り連絡配管（水連絡配管）
３２ｂ  給湯用往き連絡配管（水連絡配管）
３３ｂ  給湯用往き連絡配管（冷媒連絡配管）
３３ａ  給湯用戻り連絡配管（冷媒連絡配管）
３４ａ  暖房用戻り連絡配管（冷媒連絡配管）
３４ｂ  暖房用往き連絡配管（冷媒連絡配管）
６０  断熱材
６１  中間部材（第１部材）
６２  下部材（第２部材）
６３  上部材（第３部材）
６５  開口（第１開口）
６６  開口（第２開口）
【図１】
2016085002.tif 000003
【図２】
2016085002.tif 000004
【図３】
2016085002.tif 000005
【図４】
2016085002.tif 000006
【図５】
2016085002.tif 000007
【図６】
2016085002.tif 000008
【図７】
2016085002.tif 000009
【図８】
2016085002.tif 000010